(57)【要約】【課題】いわゆる領域走査駆動方式を採用した場合の動画表示特性を改善する。【解決手段】１フレームを第１および第２フィールドに分割するとともに、各フィールドのそれぞれにおいて走査線を所定の順番で選択する。また、互いに隣接するＮフレームと当該Ｎフレームの次の（Ｎ＋１）フレームとで表示すべき２画像の中間画像を示す表示データを、少なくとも当該Ｎおよび（Ｎ＋１）フレームの表示データを用いて生成するとともに、Ｎフレームの第１フィールドから（Ｎ＋１）フレームの第２フィールドまでの４フィールドのうち、少なくとも３フィールドにわたって、Ｎフレームの表示データ、中間画像の表示データ、当該（Ｎ＋１）フレームの表示データという順番で、かつ、選択される走査線に対応する画素の表示データを供給する。【選択図】図４
2008014994.tif 000002
【特許請求の範囲】
【請求項１】
複数行の走査線と複数列のデータ線との交差に対応して設けられるとともに、その配列領域が前記走査線に沿って少なくとも第１および第２領域に分割される一方、各々は、自身に対応する走査線に所定の選択電圧が印加されたときに、前記データ線に供給されたデータ信号に応じた階調となる画素と、
１フレームの期間を分割した第１および第２フィールドのそれぞれにおいて、前記第１および第２領域に属する走査線を交互に選択するとともに、前記第１および第２領域でそれぞれ上または下方向のいずれかに向かって走査線を選択し、当該選択した走査線に選択電圧を印加する走査線駆動回路と、
前記走査線駆動回路によって選択された走査線に対応する画素に対し、当該画素の階調を規定する表示データに基づいたデータ信号を供給するデータ線駆動回路であって、
当該データ信号を、
前記第１フィールドにおいて、前記第１領域に属する走査線が選択されたときには、所定の基準電圧よりも高位または低位の一方側とした電圧とし、前記第２領域に属する走査線が選択されたときには、前記基準電圧よりも高位または低位の他方側とした電圧とする一方、
前記第２フィールドにおいて、前記第１領域に属する走査線が選択されたときには、前記基準電圧よりも高位または低位の他方側とした電圧とし、前記第２領域に属する走査線が選択されたときには、前記基準電圧よりも高位または低位の一方側とした電圧として供給するデータ線駆動回路と、
を有する電気光学装置に対し、選択される走査線に対応する画素の階調を規定する表示データを出力する処理回路であって、
互いに隣接するＮフレームと当該Ｎフレームの次の（Ｎ＋１）フレームとで表示すべき２画像の中間画像を示す表示データを、少なくとも当該Ｎおよび（Ｎ＋１）フレームの表示データを用いて生成する中間画像生成回路と、
前記Ｎフレームの第１フィールドから前記（Ｎ＋１）フレームの第２フィールドまでの４フィールドのうち少なくとも３フィールドにわたって、前記Ｎフレームの表示データ、前記中間画像生成回路により生成した中間画像の表示データ、当該（Ｎ＋１）フレームの表示データという順番でフィールド毎に、かつ、各フィールドにおいて前記走査線駆動回路によって選択される走査線に対応する画素の表示データを供給する表示データ供給回路と、
を具備することを特徴とする電気光学装置の処理回路。
【請求項２】
前記Ｎフレームの表示データ、および、前記（Ｎ＋１）フレームの表示データを記憶するメモリを有し、
前記中間画像生成回路は、前記メモリに記憶されたＮおよび（Ｎ＋１）フレームの表示データを用いて、中間画像を示す表示データを生成する
ことを特徴とする請求項１に記載の電気光学装置の処理回路。
【請求項３】
前記表示データ供給回路は、外部上位装置から供給される前記Ｎフレームの表示データ、および、前記（Ｎ＋１）フレームの表示データが前記メモリに所定の書込速度で記憶されてから所定の期間経過後に、前記書込速度の倍の速度で読み出して供給する
ことを特徴とする請求項２に記載の電気光学装置の処理回路。
【請求項４】
複数行の走査線と複数列のデータ線との交差に対応して設けられるとともに、その配列領域が前記走査線に沿って少なくとも第１および第２領域に分割される一方、各々は、自身に対応する走査線に所定の選択電圧が印加されたときに、前記データ線に供給されたデータ信号に応じた階調となる画素と、
１フレームの期間を分割した第１および第２フィールドのそれぞれにおいて、前記第１
および第２領域に属する走査線を交互に選択するとともに、前記第１および第２領域でそれぞれ上または下方向のいずれかに向かって走査線を選択し、当該選択した走査線に選択電圧を印加する走査線駆動回路と、
前記走査線駆動回路によって選択された走査線に対応する画素に対し、当該画素の階調を規定する表示データに基づいたデータ信号を供給するデータ線駆動回路であって、
当該データ信号を、
前記第１フィールドにおいて、前記第１領域に属する走査線が選択されたときには、所定の基準電圧よりも高位または低位の一方側とした電圧とし、前記第２領域に属する走査線が選択されたときには、前記基準電圧よりも高位または低位の他方側とした電圧とする一方、
前記第２フィールドにおいて、前記第１領域に属する走査線が選択されたときには、前記基準電圧よりも高位または低位の他方側とした電圧とし、前記第２領域に属する走査線が選択されたときには、前記基準電圧よりも高位または低位の一方側とした電圧として供給するデータ線駆動回路と、
互いに隣接するＮフレームと当該Ｎフレームの次の（Ｎ＋１）フレームとで表示すべき２画像の中間画像を示す表示データを、少なくとも当該Ｎおよび（Ｎ＋１）フレームの表示データを用いて生成する中間画像生成回路と、
前記Ｎフレームの第１フィールドから前記（Ｎ＋１）フレームの第２フィールドまでの４フィールドのうち少なくとも３フィールドにわたって、前記Ｎフレームの表示データ、前記中間画像生成回路により生成した中間画像の表示データ、当該（Ｎ＋１）フレームの表示データという順番でフィールド毎に、かつ、各フィールドにおいて前記走査線駆動回路によって選択される走査線に対応する画素の表示データを供給する表示データ供給回路と、
を具備することを特徴とする電気光学装置。
【請求項５】
請求項４に記載の電気光学装置を備えることを特徴とする電子機器。
【発明の詳細な説明】
【技術分野】
【０００１】
本発明は、電気光学装置に対して、いわゆる領域走査駆動方式を採用した場合の動画表示特性を改善する技術に関する。
【背景技術】
【０００２】
近年では、液晶装置のような電気光学装置を用いて縮小画像を形成するとともに、この縮小画像を光学系によって拡大投射するプロジェクタが普及しつつある。このような縮小画像を形成する電気光学装置では、画素間が非常に狭いので、いわゆるディスクリネーション（配向不良）が問題となる。このディスクリネーションについては、隣接画素同士を互いに同一極性とする面反転（フレーム反転ともいう）方式を採用することで回避できるが、面反転方式では、表示画面の例えば上端と下端とで表示差が発生する、という問題がある。
この表示差を解消するために、フレームの期間を例えば第１および第２フィールドに分割し、各画素を第１および第２フィールドの一方において正極性で書き込み、他方において負極性で書き込むことにより、画素１列分において正極性で保持される画素と負極性で保持される画素との割合がいずれのタイミングにおいても５０％ずつとなるようにした、いわゆる領域走査駆動方式が提案されている（特許文献１参照）。
【特許文献１】特開２００４−１７７９３０号公報
【発明の開示】
【発明が解決しようとする課題】
【０００３】
しかしながら、上記領域走査駆動方式では、極性こそ相違するものの、第１および第２フィールドにおいて同じ表示内容となる電圧の書き込みを行うので、表示される画像の残像感が強い。このため、上記領域走査駆動方式では、動画を表示しようとする場合に、表示特性が悪いという問題を抱えることになった。
本発明は、上述した事情に鑑みてなされたもので、その目的とするところは、領域走査駆動方式を採用した場合に、動画の表示特性を改善した電気光学装置、その処理回路および電子機器を提供することにある。
【課題を解決するための手段】
【０００４】
上記目的を達成するために、本発明に係る電気光学装置の処理回路は、複数行の走査線と複数列のデータ線との交差に対応して設けられるとともに、その配列領域が前記走査線に沿って少なくとも第１および第２領域に分割される一方、各々は、自身に対応する走査線に所定の選択電圧が印加されたときに、前記データ線に供給されたデータ信号に応じた階調となる画素と、１フレームの期間を分割した第１および第２フィールドのそれぞれにおいて、前記第１および第２領域に属する走査線を交互に選択するとともに、前記第１および第２領域でそれぞれ上または下方向のいずれかに向かって走査線を選択し、当該選択した走査線に選択電圧を印加する走査線駆動回路と、前記走査線駆動回路によって選択された走査線に対応する画素に対し、当該画素の階調を規定する表示データに基づいたデータ信号を供給するデータ線駆動回路であって、当該データ信号を、前記第１フィールドにおいて、前記第１領域に属する走査線が選択されたときには、所定の基準電圧よりも高位または低位の一方側とした電圧とし、前記第２領域に属する走査線が選択されたときには、前記基準電圧よりも高位または低位の他方側とした電圧とする一方、前記第２フィールドにおいて、前記第１領域に属する走査線が選択されたときには、前記基準電圧よりも高位または低位の他方側とした電圧とし、前記第２領域に属する走査線が選択されたときには、前記基準電圧よりも高位または低位の一方側とした電圧として供給するデータ線駆動回路と、を有する電気光学装置に対し、選択される走査線に対応する画素の階調を規定す
る表示データを出力する処理回路であって、互いに隣接するＮフレームと当該Ｎフレームの次の（Ｎ＋１）フレームとで表示すべき２画像の中間画像を示す表示データを、少なくとも当該Ｎおよび（Ｎ＋１）フレームの表示データを用いて生成する中間画像生成回路と、前記Ｎフレームの第１フィールドから前記（Ｎ＋１）フレームの第２フィールドまでの４フィールドのうち少なくとも３フィールドにわたって、前記Ｎフレームの表示データ、前記中間画像生成回路により生成した中間画像の表示データ、当該（Ｎ＋１）フレームの表示データという順番でフィールド毎に、かつ、各フィールドにおいて前記走査線駆動回路によって選択される走査線に対応する画素の表示データを供給する表示データ供給回路と、を具備することを特徴とする。本発明によれば、領域走査駆動方式において動画の表示特性を改善することが可能となる。
【０００５】
ここで、本発明において、前記Ｎフレームの表示データ、および、前記（Ｎ＋１）フレームの表示データを記憶するメモリを有し、前記中間画像生成回路が、前記メモリに記憶されたＮおよび（Ｎ＋１）フレームの表示データを用いて、中間画像を示す表示データを生成する構成としても良い。また、この構成において、前記表示データ供給回路は、外部上位装置から供給される前記Ｎフレームの表示データ、および、前記（Ｎ＋１）フレームの表示データが前記メモリに所定の書込速度で記憶されてから所定の期間経過後に、前記書込速度の倍の速度で読み出して供給しても良い。
なお、本発明は、電気光学装置の処理回路のみならず、電気光学装置それ自体としても、さらには、当該電気光学装置を有する電子機器としても概念することが可能である。
【発明を実施するための最良の形態】
【０００６】
以下、本発明の実施の形態について図面を参照して説明する。図１は、本発明の実施形態に係る電気光学装置の構成を示すブロック図である。
この図に示されるように、電気光学装置１は、表示パネル１０と処理回路５０とに大別される。このうち、処理回路５０は、データ信号Ｖidの供給に合わせて表示パネル１０の動作等を制御する回路モジュールであり、表示パネル１０とは、例えばＦＰＣ（flexible
printed circuit）基板によって接続される。
詳細には、処理回路５０は、走査制御回路５２および表示データ処理回路５４を含む。表示データ処理回路５４は、外部上位装置（図示省略）から垂直同期信号Ｖsync、水平同期信号Ｈsyncおよびドットクロック信号Ｄclkに同期して供給される表示データＶideoを
、一旦メモリに蓄積した後、表示パネル１０の駆動に同期して読み出して、アナログのデータ信号Ｖidに変換するものである。
走査制御回路５２は、垂直同期信号Ｖsync、水平同期信号Ｈsyncおよびドットクロック信号Ｄclkに同期して表示パネル１０を駆動するための制御信号ＣtrX、ＣtrYを生成する
とともに、表示データ処理回路５４におけるデータ信号Ｖidの変換動作を制御する。
ここで、表示データＶideoは、表示パネル１０における画素の階調を指定するデータであり、特に図示しないが、垂直同期信号Ｖsyncの供給タイミングを契機として１フレーム分供給されるとともに、水平同期信号Ｈsyncの供給タイミングを契機として１行分供給される。ここで、本実施形態において垂直同期信号Ｖsyncは、周波数６０Ｈｚ（周期１６．７ミリ秒）である。さらに、ドットクロックＤclkについては、表示データＶideoのうち
、１画素分が供給される期間を規定する。
【０００７】
一方、表示パネル１０は、図２に示されるように、表示領域１００の周辺に走査線駆動回路１３０およびデータ線駆動回路１４０を内蔵した周辺回路内蔵型となっている。表示領域１００では、４８０行の走査線１１２が行（Ｘ）方向に延在するように設けられ、また、６４０列のデータ線１１４が列（Ｙ）方向に延在するように、かつ、各走査線１１２と互いに電気的に絶縁を保つように設けられ、さらに、画素１１０が４８０行の走査線１１２と６４０列のデータ線１１４との交差に対応して、それぞれ配列している。したがって、本実施形態では、画素１１０が縦４８０行×横６４０列でマトリクス状に配列するこ
とになるが、本発明をこの配列に限定する趣旨ではない。
【０００８】
画素１１０の構成について図３を参照して説明する。図３は、ｉ行及びこれと１行下で隣接する（ｉ＋１）行と、ｊ列及びこれと１列右で隣接する（ｊ＋１）列との交差に対応する２×２の計４画素分の構成を示している。なお、ｉ、（ｉ＋１）は、画素１１０が配列する行を一般的に示す場合の記号であって、１以上４８０以下の整数である。また、ｊ、（ｊ＋１）は、画素１１０が配列する列を一般的に示す場合の記号であって、１以上６４０以下の整数である。
【０００９】
図３に示されるように、各画素１１０は、ｎチャネル型の薄膜トランジスタ（thin film transistor：以下単に「ＴＦＴ」と略称する）１１６と液晶容量１２０とを有する。
ここで、各画素１１０については互いに同一構成なので、ｉ行ｊ列に位置するもので代表させて説明すると、当該ｉ行ｊ列の画素１１０におけるＴＦＴ１１６のゲートはｉ行目の走査線１１２に接続される一方、そのソースはｊ列目のデータ線１１４に接続され、そのドレインは液晶容量１２０の一端たる画素電極１１８に接続されている。また、液晶容量１２０の他端は、コモン電極１０８である。このコモン電極１０８は、全ての画素１１０にわたって共通であって、時間的に一定の電圧ＬＣcomが印加されている。
【００１０】
この表示パネル１０は、特に図示しないが、素子基板と対向基板との一対の基板が一定の間隙を保って貼り合わせられるとともに、この間隙に液晶が封止された構成となっている。このうち、素子基板には、走査線１１２や、データ線１１４、ＴＦＴ１１６および画素電極１１８が走査線駆動回路１３０やデータ線駆動回路１４０とともに形成される一方、対向基板にコモン電極１０８が形成されて、これらの電極形成面が互いに対向するように一定の間隙を保って貼り合わせられている。このため、本実施形態において液晶容量１２０は、画素電極１１８とコモン電極１０８とが液晶１０５を挟持することによって構成されることになる。
なお、本実施形態では説明の便宜上、液晶容量１２０において保持される電圧実効値がゼロに近ければ、液晶容量を通過する光の透過率が最大となって白色表示になる一方、電圧実効値が大きくなるにつれて透過する光量が減少して、ついには透過率が最小の黒色表示になるノーマリーホワイトモードに設定されている。
【００１１】
この構成において、走査線１１２に選択電圧を印加し、ＴＦＴ１１６をオン（導通）させるとともに、画素電極１１８に、データ線１１４およびオン状態のＴＦＴ１１６を介して、階調（明るさ）に応じた電圧のデータ信号を供給することにより、選択電圧を印加した走査線１１２とデータ信号を供給したデータ線１１４との交差に対応する液晶容量１２０に、階調に応じた電圧実効値を保持させることができる。
なお、走査線１１２が非選択電圧になると、ＴＦＴ１１６がオフ（非導通）状態となるが、このときのオフ抵抗が理想的に無限大とはならないので、液晶容量１２０に蓄積された電荷が少なからずリークする。このオフリークの影響を少なくするために、蓄積容量１０９が画素毎に形成されている。この蓄積容量１０９の一端は、画素電極１１８（ＴＦＴ１１６のドレイン）に接続される一方、その他端は、全画素にわたって容量線１０７に共通接続されている。この容量線１０７は、時間的に一定の電位、例えば接地電位Ｇndに保たれる。
【００１２】
走査線駆動回路１３０は、１、２、３、…、４８０行目の走査線１１２を、次のような順番で選択するとともに、選択した走査線１１２にＨレベルに相当する選択電圧Ｖddを、非選択の走査線１１２にＬレベルに相当する非選択電圧（接地電位Ｇnd）を、それぞれ走査信号Ｇ1、Ｇ2、Ｇ3、…、Ｇ480として供給するものである。
詳細には、本実施形態では、領域走査駆動を実行するため、図５に示されるように、１フレームの期間を第１および第２フィールドに分割するとともに、走査線１１２を、第１
フィールドにおいては、２４１、１、２４２、２、２４３、３、…、４８０、２４０行目という順番で選択する一方、第２フィールドにおいては、１、２４１、２、２４２、３、２４３、…、２４０、４８０行目という順番で選択する。
このような走査線の選択順序を言い換えると、１〜２４０行目の走査線を第１領域とし、２４１〜４８００行目の走査線を第２領域としたとき、第１および第２フィールドのそれぞれにおいて、第１および第２領域に属する走査線が交互に選択されるとともに、第１および第２領域でそれぞれ下方向に向かって走査線が選択されるすることになる。
ここで、１フレームの期間とは、図１０（ａ）に示されるように、表示パネル１０で表示すべき表示データＶideoの全画素分、すなわち１〜４８０行目の各走査線に対応した画素分を順次供給するのに要する期間であり、１６．７ミリ秒である。
【００１３】
データ線駆動回路１４０は、サンプリング信号出力回路１４２と、データ線１１４毎に設けられたｎチャネル型ＴＦＴ１４６を含む。このうち、サンプリング信号出力回路１４２は、図６または図７に示されるように、いずれかの走査信号Ｈレベルとなる水平有効表示期間において、順次排他的にＨレベルとなるサンプリング信号Ｓ１、Ｓ２、Ｓ３、Ｓ４、…、Ｓ６４０を出力するものである。
また、図２において各列のＴＦＴ１４６については、そのソースが、データ信号Ｖidが供給される画像信号線１７１に共通接続され、そのドレインが、データ線１１４に接続され、そのゲートには、サンプリング信号が供給される。このため、ｊ列目のデータ線１１４にドレインが接続されたＴＦＴ１４６は、ｊ列目に対応するサンプリング信号ＳｊがＨレベルになったときに、画像信号線１７１に供給されたデータ信号Ｖidをｊ列目のデータ線１１４にサンプリングする構成となっている。
なお、走査線駆動回路１３０における走査線やデータ線駆動回路１４０におけるサンプリング信号の出力は、上述したように走査制御回路５２によって制御される。また、本実施形態では、後述するＤ／Ａ変換回路５２４を、サンプリング信号出力回路１４２、ＴＦＴ１４６とともにデータ線駆動回路と概念しても良い。
【００１４】
次に、表示データ処理回路５４の詳細について説明する。図４は、映像データ処理回路５４の構成を示すブロック図である。
この図に示されるように、表示データ処理回路５４は、セレクタ５０２、５０４、５０６、第１メモリ５１１、第２メモリ５１２、中間画像生成回路５２２およびＤ／Ａ変換回路（ＤＡＣ）５２４を含む。
このうち、セレクタ５０２は、走査制御回路５２にしたがって出力端Ａ、Ｂのいずれかを選択して、外部上位装置から供給された表示データＶideoを選択した出力端に供給するものである。詳細には、セレクタ５０２は、奇数フレームのデータ信号Ｖidを表示パネル１０に供給すべきフレームの期間では出力端Ａを選択し、偶数フレームのデータ信号Ｖidを表示パネル１０に供給すべきフレームの期間では出力端Ｂを選択する。
【００１５】
セレクタ５０２の出力端Ａは第１メモリ５１１の入力端に接続され、その出力端Ｂは第２メモリ５１２の入力端に接続されている。ここで、第１メモリ５１１および第２メモリ５１２は、それぞれ書き込みと読み出しとを独立して実行可能であり、外部上位装置から供給された表示データＶideoを走査制御回路５２による制御にしたがって順次書き込む一方、記憶した表示データＶideoのうち、走査制御回路５２により指定された行のものを当該書き込み速度とは倍の速度で読み出す。
また、第１メモリ５１１および第２メモリ５１２に記憶された表示データＶideoは、走査制御回路５２によって読み出されるほか、中間画像生成回路５２２によって参照される。
第１メモリ５１１の出力端は、セレクタ５０４の入力端Ａおよび中間画像生成回路５２２の入力端の一方にそれぞれ接続され、また、第２メモリ５１２の出力端は、セレクタ５０４の入力端Ｂおよび中間画像生成回路５２２の入力端の他方にそれぞれ接続されている
。
【００１６】
中間画像生成回路５２２は、第１メモリ５１１に記憶された表示データＶideoのＮフレームで規定される画像と、第２メモリ５１２に記憶された表示データＶideoの（Ｎ−１）または（Ｎ＋１）フレームのいずれかで規定される画像との中間画像を生成して、当該中間画像を示す表示データをセレクタ５０６の入力端Ｂに供給するものである。中間画像生成回路５２２が中間画像を生成するアルゴリズムとしては種々のもの適用可能であるが、例えば、２つのフレームで規定される画像において階調変化がない部分を静止画部分とし、それ以外の部分を動きのある部分として抽出するとともに、抽出した静止画を背景として、動きのある部分を２フレームの中間位置に配置させたような画像を生成する。
なお、中間画像生成回路５２２からは、生成した中間画像のうち、走査制御回路５２で指定された行の表示データが当該走査制御回路５２の制御によって、第１メモリ５１１・第２メモリ５１２の読出速度と同じ速度（つまり、書込速度の倍の速度）で読み出されて出力される。
走査線駆動回路１３０による走査線の選択、および、サンプリング信号出力回路１４２によるサンプリング信号の出力に合わせて、第１メモリ５１１／第２メモリ５１２から、または、中間画像生成回路５２２から、表示データを読み出す主体は走査制御回路５２となる。
【００１７】
セレクタ５０４は、走査制御回路５２にしたがって入力端Ａ、Ｂのいずれかを選択するとともに、選択した入力端に供給された表示データを、セレクタ５０６の入力端Ａに供給するものである。詳細には、セレクタ５０４は、奇数フレームのデータ信号Ｖidを表示パネル１０に供給すべきフレームの期間のうち、第２フィールドにおいて入力端Ａを選択し、偶数フレームのデータ信号Ｖidを表示パネル１０に供給すべきフレームの期間のうち、第２フィールドにおいて入力端Ｂを選択する。
セレクタ５０６は、セレクタ５０６と同様に走査制御回路５２にしたがって入力端Ａ、Ｂのいずれかを選択して、選択した入力端に供給された表示データを出力するものであるが、フレームの期間のうち、第１フィールドにおいて入力端Ｂを選択し、第２フィールドにおいて入力端Ａを選択する点でセレクタ５０４と相違する。
【００１８】
Ｄ／Ａ変換回路５２４は、セレクタ５０６を介して供給される表示データを、走査制御回路５２により指定された極性のデータ信号Ｖidに変換して、表示パネル１０における画像信号線１７１に供給する。
詳細には、Ｄ／Ａ変換回路５２４は、第１フィールドにおいて、１、２、３、…、２４０行目の表示データを正極性に変換し、２４１、２４２、２４３、…、４８０行目の表示データを負極性に変換する一方、第２フィールドにおいて、１、２、３、…、２４０行目の表示データを負極性に変換し、２４１、２４２、２４３、…、４８０行目の表示データを正極性に変換する。
なお、本実施形態における極性は、液晶容量１２０に対する書込極性をいうので、その正負の基準は接地電位Ｇndではなくコモン電極１０８に印加される電圧ＬＣcomである。
ただし、後述するように、極性の基準が電圧ＬＣcomよりも若干高位の電圧Ｖcに設定される場合がある。
また、表示データを正極性または負極性のデータ信号Ｖidに変換してから、データ線１１４に供給するまでの構成は、Ｄ／Ａ変換回路５２４、サンプリング信号出力回路１４２およびＴＦＴ１４６である。このため、上述したように、データ線駆動回路として、サンプリング信号出力回路１４２、ＴＦＴ１４６に、Ｄ／Ａ変換回路５２４を含めて概念すること可能である。
【００１９】
次に、本実施形態に係る電気光学装置１の動作について説明する。
まず、外部上位装置から、図１０（ａ）に示されるように、表示データＶideoが各フレ
ームにおいて１〜４８０行目という順番で供給される。
なお、図において、■の１つが１行分、すなわち１〜６４０列の画素１行分に対応している。また、図１０（ａ）は、１〜４８０行のすべての行について示しているのではなく、行を減数して簡易的に示している。
ここで、Ｎを便宜的に奇数とし、（Ｎ−１）を当該Ｎより１つ前の偶数とする一方、（Ｎ＋１）を当該Ｎより１つ後の偶数とし、さらに（Ｎ＋２）を当該（Ｎ＋１）より１つ後の奇数とすると、表示データＶideoは、（Ｎ−１）、Ｎ、（Ｎ＋１）、（Ｎ＋２）というフレームの順番で供給される。ただし、図１０（ａ）においては便宜的に（Ｎ−１）、Ｎフレーム目だけが示されている。
【００２０】
本実施形態に係る電気光学装置は、中間画像の表示データに基づく表示動作を第１フィールドにて実行し、その中間画像に対して半フレーム後の表示動作（外部上位装置から供給される表示データＶideoに基づく表示動作）を、第２フィールドにて実行する。
ここで、例えば（Ｎ−１）およびＮフレームにおける中間画像の表示データは、第１メモリ５１１にＮフレーム目の表示データＶideoが記憶されていなければ、さらに、第２メモリ５１２に（Ｎ−１）フレーム目の表示データＶideoがされていなければ、中間画像生成回路５２２により生成することができない。
このため、本実施形態において、走査制御回路５２は、外部上位装置から（Ｎ＋２）フレーム目の表示データＶideoが供給されているフレーム期間の第１フィールドにて、表示パネル１０に対して（Ｎ−１）およびＮフレームの中間画像を表示させる動作を実行し、続く第２フィールドにてＮフレーム目の画像を表示させる動作を実行する。
外部上位装置から（Ｎ＋２）フレーム目の表示データＶideoが供給されているフレーム期間であれば、第１メモリ５１１にＮフレーム目の表示データＶideoがすでに記憶されているはずであり、同様に、第２メモリ５１２に（Ｎ−１）フレーム目の表示データＶideoがされているはずだからである。
すなわち、本実施形態では、外部上位装置から１行目の表示データＶideoが供給されるタイミングを基準としてみたときに、１．５フレーム遅延して当該１行目の表示データＶideoに基づく表示動作が表示パネル１０で実行されることになる。
【００２１】
さて、偶数（Ｎ＋１）フレーム目の表示データＶideoが外部上位装置から供給される期間では、走査制御回路５２は、上述したようにセレクタ５０２が出力端Ｂを選択するように制御する。これにより、偶数（Ｎ＋１）目の表示データＶideoは、図８（ａ）および図８（ｂ）に示されるように、第２メモリ５１２に順次書き込まれる。
次に、続く奇数（Ｎ＋２）フレーム目の表示データＶideoが外部上位装置から供給される期間では、走査制御回路５２は、セレクタ５０２が出力端Ａを選択するように制御する。これにより、奇数（Ｎ＋２）フレーム目の表示データＶideoは、図９（ａ）および図９（ｂ）に示されるように、第１メモリ５１１に順次書き込まれる。
このように、外部上位装置から供給される偶数（Ｎ＋１）フレーム目の表示データＶideoが第２メモリ５１２に記憶され、奇数フレーム（Ｎ＋２）目の表示データＶideoが第１メモリ５１１に記憶される動作がフレーム毎に繰り返される。したがって、時間を遡ると、偶数（Ｎ＋１）フレーム目の表示データＶideoが供給されるフレームの期間において、第１メモリ５１１にはＮフレーム目の表示データがすでに記憶される一方、第２メモリ５１２には（Ｎ−１）フレーム目の表示データがすでに記憶されていることになる。
【００２２】
一方、偶数（Ｎ＋１）フレーム目の表示データＶideoが外部上位装置から供給されるフレームの期間の第１フィールドでは、図８（ａ）に示されるように、中間画像生成回路５２２が、第１メモリ５１１にすでに記憶されたＮフレーム目の表示データＶideoと、第２メモリ５１２にすでに記憶された（Ｎ−１）フレーム目の表示データＶideoとから、（Ｎ−１）フレーム目とＮフレーム目との間における中間画像の表示データを生成する。さらに、このフレームの第１フィールドでは、走査制御回路５２は、セレクタ５０６が出力端
Ｂを選択するように制御する。これにより、（Ｎ−１）フレーム目とＮフレーム目との間における中間画像の表示データは、Ｄ／Ａ変換回路５２４に供給される。
【００２３】
一方、上述したように、第１フィールドにおいて、走査制御回路５２は、走査線駆動回路１３０が走査線１１２を２４１、１、２４２、２、２４３、３、…、４８０、２４０行目という順番で選択するように制御する。
ここで、走査制御回路５２は、第１フィールドにおいて２４１行目の走査線１１２を選択するように走査線駆動回路１３０を制御するとき、中間画像生成回路５２２に対し、Ｎフレーム目と（Ｎ−１）フレーム目との間における中間画像の表示データのうち、２４１行目の表示データを１、２、３、…、６４０列目の順番で出力するように制御するとともに、Ｄ／Ａ変換回路５２４に対して変換極性を負極性に設定する。
さらに、走査制御回路５２は、サンプリング信号出力回路１４２に対し、１、２、３、…、６４０列の表示データの読み出しに合わせてサンプリング信号Ｓ１、Ｓ２、Ｓ３、…、Ｓ６４０を順番にＨレベルとなるように制御する。
【００２４】
サンプリング信号Ｓ１がＨレベルになると、１列目のＴＦＴ１４６がオンするので、画像信号線１７１に供給された２４１行１列の画素に対応するデータ信号Ｖidが１列目のデータ線１１４にサンプリングされる。同様に、サンプリング信号Ｓ２、Ｓ３、…、Ｓ６４０が順番にＨレベルになると、２、３、…、６４０列目のＴＦＴ１４６が順番にオンするので、２、３、…、６４０列目のデータ線１１４には、２４１行目にあって２列、３列、…、６４０列の画素に対応するデータ信号Ｖidがそれぞれサンプリングされることになる。
一方、走査信号Ｇ２４１がＨレベルであると、２４１行目に位置する画素１１０におけるＴＦＴ１１６がすべてオン状態（ソースおよびドレイン間が導通状態）となるので、データ線１１４にサンプリングされたデータ信号Ｖidの電圧がそのまま画素電極１１８に印加される。このため、２４１行目であって１、２、３、…、６４０列の画素における液晶容量１２０には、（Ｎ−１）フレーム目とＮフレーム目との間における中間画像の表示データで指定された階調に応じた負極性の電圧が保持されることになる。
【００２５】
２４１行目の次は、１行目の走査線が選択される。この選択に合わせて、走査制御回路５２は、中間画像生成回路５２２に対し、Ｎフレーム目と（Ｎ−１）フレーム目との間における中間画像の表示データのうち、１行目の表示データを１、２、３、…、６４０列目の順番で出力するように制御するとともに、Ｄ／Ａ変換回路５２４に対して変換極性を正極性に設定する。
さらに、走査制御回路５２は、１行目の走査線１１２を選択するように走査線駆動回路１３０を制御する。
これにより、１、２、３、…、６４０列目のデータ線１１４には、１行目であって１、２、３、…、６４０列の画素に対応するデータ信号Ｖidがそれぞれサンプリングされる一方、１行目に位置する画素１１０におけるＴＦＴ１１６がすべてオン状態となるので、１、２、３、…、６４０列目のデータ線１１４にサンプリングされたデータ信号Ｖidの電圧がそのまま画素電極１１８に印加される。このため、１行目であって１、２、３、…、６４０列の画素における液晶容量１２０には、（Ｎ−１）フレーム目とＮフレーム目との間における中間画像の表示データで指定された階調に応じた正極性の電圧が保持されることになる。
【００２６】
１行目の次は、２４２行目の走査線が選択される。この選択に合わせて、走査制御回路５２は、第１に、中間画像生成回路５２２に対し、Ｎフレーム目と（Ｎ−１）フレーム目との間における中間画像の表示データのうち、２４２行目の表示データを１、２、３、…、６４０列目の順番で出力するように制御し、第２に、Ｄ／Ａ変換回路５２４に対して変換極性を負極性に設定し、第３に、走査線駆動回路１３０が２４２行目の走査線１１２を
選択するように制御する。これにより、２４２行目であって１、２、３、…、６４０列の画素における液晶容量１２０には、（Ｎ−１）フレーム目とＮフレーム目との間における中間画像の表示データで指定された階調に応じた負極性の電圧が保持されることになる。
２４２行目の次は、２行目の走査線が選択される。この選択に合わせて、走査制御回路５２は、第１に、中間画像生成回路５２２に対し、Ｎフレーム目と（Ｎ−１）フレーム目との間における中間画像の表示データのうち、２行目の表示データを１、２、３、…、６４０列目の順番で出力するように制御し、第２に、Ｄ／Ａ変換回路５２４に対して変換極性を正極性に設定し、第３に、走査線駆動回路１３０が２行目の走査線１１２を選択するように制御する。これにより、２行目であって１、２、３、…、６４０列の画素における液晶容量１２０には、（Ｎ−１）フレーム目とＮフレーム目との間における中間画像の表示データで指定された階調に応じた正極性の電圧が保持されることになる。
以下、同様な動作が、２４２、３、…、４８０、２４０行目という順番で繰り返される。これにより、偶数（Ｎ＋１）フレーム目の表示データＶideoが外部上位装置から供給されるフレームの期間の第１フィールドでは、２４１〜４８０行目の走査線に対応する画素（液晶容量）には、（Ｎ−１）フレーム目とＮフレーム目との間における中間画像の表示データで指定された階調に応じた負極性電圧が保持される一方、１〜２４０行目の走査線に対応する画素には、当該中間画像の表示データで指定された階調に応じた正極性電圧が保持されることになって、当該第１フィールドの終了時点において当該中間画像の表示がなされることになる。
【００２７】
図６は、第１フィールドにおいて表示パネル１０に供給されるデータ信号Ｖidの一例を示す図である。第１フィールドでは、ｉ行目の走査線よりも前に（ｉ＋２４０）行目が選択されるので、走査信号Ｇ（ｉ＋１）、Ｇｉは、この順番でＨレベルとなる。
データ信号Ｖidは、負極性書込であれば、黒色に相当する電圧Ｖb(-)から白色に相当する電圧Ｖw(-)までの範囲で電圧ＬＣcomから画素の階調に応じた分だけ低位の電圧となり
、正極性書込であれば、黒色（最低階調）に相当する電圧Ｖb(+)から白色（最高階調）に相当する電圧Ｖw(+)までの範囲で電圧ＬＣcomから画素の階調に応じた分だけ高位の電圧
となる。
なお、図６におけるデータ信号Ｖidの電圧の縦スケールは、他の論理信号（走査信号やサンプリング信号）の電圧波形と比較して拡大してあり、この点については、後述する図７においても同様である。
また、走査信号は、水平走査期間（Ｈ）毎に順番にＨレベルのパルスとなるが、走査信号Ｇ（ｉ＋１）がＨレベルからＬレベルに変化したとき、走査信号Ｇｉは、帰線期間を経た後に、ＨレベルからＬレベルに変化する。
【００２８】
続いて、偶数（Ｎ＋１）フレーム目の表示データＶideoが外部上位装置から供給されるフレームの期間の第２フィールドでは、図８（ｂ）に示されるように、走査制御回路５２は、セレクタ５０４、５０６のそれぞれが出力端Ａを選択するように制御する。したがって、第１メモリ５１１から読み出される表示データＶideo（表示データ）がＤ／Ａ変換回路５２４に供給される。
この第２フィールドにおいて、走査線１１２は、１、２４１、２、２４２、３、２４３、…、２４０、４８０行目という順番で選択される。
そこでまず、最初の１行目が選択されるときの動作について説明すると、走査制御回路５２は、第１に、第１メモリ５１１からＮフレーム目の表示データＶideoのうち、１行目の表示データを１、２、３、…、６４０列目の順番で出力するように制御し、第２に、Ｄ／Ａ変換回路５２４に対して変換極性を負極性に設定し、第３に、走査線駆動回路１３０が１行目の走査線１１２を選択するように制御する。これにより、１行目であって１、２、３、…、６４０列の画素における液晶容量１２０には、Ｎフレーム目における表示データＶideoで指定された階調に応じた負極性電圧が保持されることになる。
この第２フィールドにおいて、次の２４１行目を選択するとき、走査制御回路５２は、
第１に、第１メモリ５１１からＮフレーム目の表示データＶideoのうち、２４１行目の表示データを１、２、３、…、６４０列目の順番で出力するように制御し、第２に、Ｄ／Ａ変換回路５２４に対して変換極性を正極性に設定し、第３に、走査線駆動回路１３０が２４１行目の走査線１１２を選択するように制御する。これにより、２４１行目であって１、２、３、…、６４０列の画素における液晶容量１２０には、Ｎフレーム目における表示データＶideoで指定された階調に応じた正極性電圧が保持されることになる。
以下、同様な動作が、２、２４２、３、２４３、…、２４０、４８０行目という順番で繰り返される。これにより、偶数（Ｎ＋１）フレーム目の表示データＶideoが外部上位装置から供給されるフレームの期間の第２フィールドでは、１〜２４０行目の走査線に対応する画素には、Ｎフレーム目における表示データＶideoで指定された階調に応じた負極性電圧が保持される一方、２４１〜４８０行目の走査線に対応する画素には、当該表示データで指定された階調に応じた正極性電圧が保持されることになり、これにより、当該第２フィールドの終了時点において当該Ｎフレーム目の画像の表示がなされることになる。
【００２９】
なお、図７は、第２フィールドにおいて表示パネル１０に供給されるデータ信号Ｖidの一例を示す図である。第２フィールドでは、ｉ行目の走査線が、（ｉ＋２４０）行目よりも先に選択されるので、走査信号Ｇｉ、Ｇ（ｉ＋１）は、この順番でＨレベルとなる。
【００３０】
続いて、奇数（Ｎ＋２）フレーム目の表示データＶideoが外部上位装置から供給されることになる。
上述したように、奇数フレーム目の表示データＶideoが供給されるフレームの期間では、走査制御回路５２は、セレクタ５０２が出力端Ａを選択するように制御するので、当該表示データＶideoは、第１メモリ５１１に順次書き込まれることになる。
また、奇数（Ｎ＋２）フレーム目の表示データＶideoが供給されるフレームの期間の第１フィールドでは、図９（ａ）に示されるように、中間画像生成回路５２２が、第１メモリ５１１にすでに記憶されたＮフレーム目の表示データＶideoと、第２メモリ５１２にすでに記憶された（Ｎ＋１）フレーム目の表示データＶideoとから、Ｎフレーム目と（Ｎ＋１）フレーム目との間における中間画像の表示データを生成する。
これら以外の点については、偶数（Ｎ＋１）フレーム目の表示データＶideoが供給されるフレームの期間の第１フィールドと同様であり、２４１〜４８０行目の走査線に対応する画素には、Ｎフレーム目と（Ｎ＋１）フレーム目との間となるように生成された中間画像の階調に応じた負極性電圧が保持される一方、１〜２４０行目の走査線に対応する画素には、当該中間画像の階調に応じた正極性電圧が保持されることになって、当該第１フィールドの終了時点において当該中間画像の表示がなされることになる。
【００３１】
続いて、奇数（Ｎ＋２）フレーム目の表示データＶideoが供給されるフレームの期間の第２フィールドでは、図９（ｂ）に示されるように、走査制御回路５２は、セレクタ５０４が出力端Ｂを、セレクタ５０６が出力端Ａをそれぞれ選択するように制御するとともに、第２メモリ５１２にすでに記憶された（Ｎ＋１）フレーム目の表示データＶideoを選択する行の順番で読み出す。
これら以外の点については、偶数（Ｎ＋１）フレーム目の表示データＶideoが供給されるフレームの期間の第２フィールドと同様であり、１〜２４０行目の走査線に対応する画素には、（Ｎ＋１）フレーム目の表示データＶideoで指定された階調に応じた負極性電圧が保持される一方、２４１〜４８０行目の走査線に対応する画素には、当該表示データＶideoで指定された階調に応じた正極性電圧が保持されることになり、これにより、当該第２フィールドの終了時点において当該（Ｎ＋１）フレーム目の画像の表示がなされることになる。
【００３２】
本実施形態では、図１０の（ｂ）に示されるように、第１フィールドにおいて２４１〜４８０行目の画素では負極性書き込みがなされ、１〜２４０行目の画素では正極性書き込
みがなされて、次の書き込みまで保持される一方、第２フィールドにおいて１〜２４０行目の画素では負極性書き込みがなされ、２４１〜４８０行目の画素では正極性書き込みがなされて、同様に次の書き込みまで保持される。
このため、いずれのタイミングにおいても、いずれの列についてみても、正極性電圧を保持する画素と負極性電圧を保持する画素との割合が５０％ずつとなる。したがって、非選択期間におけるデータ線１１４の極性は一方に偏ることがなくなり、これにより、画素電極１１８に書き込まれた電荷がオフ状態のＴＦＴ１１６を介してリークする程度が、各行にわたって均等になるので、表示の不均一性が防止される。
また、本実施形態では、ある行が選択されたタイミングでは、当該行に位置する画素と、当該行と１つ上の行に位置する画素とで書込極性が相反するが、それ以外の画素同士は、書込極性が同一となる。このため、ディスクリネーション（配向不良）による表示品位の低下も防止することができる。
本実施形態では、このような領域走査駆動による利点を享受しつつ、次のように動画表示特性が改善される。
【００３３】
すなわち、本実施形態では、図１０に示されるように、偶数（Ｎ＋１）フレーム目の表示データＶideoが供給されるフレームの期間では、当該表示データＶideoは、第１メモリ５１１に順次書き込まれる一方、当該フレームの期間の第１フィールドにおいて、（Ｎ−１）フレーム目とＮフレーム目との中間画像を示す表示データに基づく電圧の書き込みが表示パネル１０になされて、当該第１フィールドの終了時点において当該中間画像が表示され、当該フレームの期間の第２フィールドにおいて、Ｎフレーム目の表示データに基づく電圧の書き込みが表示パネル１０になされて、当該第２フィールドの終了時点において当該Ｎフレーム目の画像が表示される。
続く奇数（Ｎ＋２）フレーム目の表示データＶideoが供給されるフレームの期間では、当該表示データＶideoは、第２メモリ５１２に順次書き込まれる一方、当該フレームの期間の第１フィールドにおいて、Ｎフレーム目と（Ｎ＋１）フレーム目との中間画像を示す表示データに基づく電圧の書き込みが表示パネル１０になされて、当該第１フィールドの終了時点において当該中間画像が表示され、当該フレームの期間の第２フィールドにおいて、（Ｎ＋１）フレーム目の表示データに基づく電圧の書き込みが表示パネル１０になされて、当該第２フィールドの終了時点において当該（Ｎ＋１）フレーム目の画像が表示される。
このため、本実施形態によれば、例えば白色を背景として黒色のウィンドウ領域が左から右へ移動するような表示を行う場合、図１１（ｂ）に示されるように、１フレームの半分であるフィールド毎に、当該ウィンドウ領域を移動するような表示となる。これに対して、単なる領域走査駆動では、図１１（ａ）に示されるように、第１および第２フィールドで同じ表示が繰り返される。
したがって、上述したように本実施形態によれば、単なる領域走査駆動と比較して、動画表示特性を改善することが可能となる。
【００３４】
また、実施形態においては、第１および第２フィールドの終了時点において、各フィールドにおいて表示すべき画像を形成動作が完了している。このため、第１および第２フィールドの終了時点において、光源（フロントまたはバックライト）をパルス的に点灯させて、いわゆるインパルス的な表示をさせる構成としても良い。
て表示すべき画像を形成動作が完了していることから、
上述した説明では、表示データ処理回路５４において、表示データＶideoを一時的に記憶するためのメモリを、第１メモリ５１１と第２メモリとに分けたが、これは説明の便宜的のためである。すなわち、メモリ領域を、第１および第２メモリのように区別して使えば、１つであっても、３つ以上であっても良い。
【００３５】
また、実施形態では、第１フィールドにおいて中間画像生成回路５２２で生成した表示
データに基づく電圧の書き込みを実行し、続く第２フィールドにおいて、当該中間画像に対し半フレーム経過後に相当する画像を示す表示データであって、かつ、外部上位装置から供給された表示データに基づく電圧の書き込みを実行したが、第１フィールドにおいて外部上位装置から供給された表示データに基づく電圧の書き込みを実行し、続く第２フィールドにおいて、当該表示データに基づく画像に対し半フレーム経過後に相当する画像を示す表示データであって、かつ、中間画像生成回路５２２で生成した表示表示データに基づく電圧の書き込みを実行しても良い。
すなわち、本発明では、Ｎフレーム目の第１フィールドから（Ｎ＋１）フレーム目の第２フィールドまでの４フィールドのうちの３フィールドにおいて、前記Ｎフレームの第１フィールドから前記（Ｎ＋１）フレームの第２フィールドまでの４フィールドのうち少なくとも３フィールドに対し、Ｎフレーム目の画像、Ｎおよび（Ｎフレーム）目の中間画像、（Ｎ＋１）フレーム目の画像、という順番で画像表示動作を行えば良い。
【００３６】
実施形態では、第１および第２フィールドのそれぞれにおいて、１〜２４０行目の第１領域に属する走査線と、２４１〜４８０行目の第２領域に属する走査線とを交互に選択されるとともに、第１および第２領域でそれぞれ下方向に向かって走査線を選択したが、第１および第２領域でそれぞれ上方向に向かって走査線を選択しても良い。
また、第１フィールドにおいて第１領域に属する走査線が選択されるときに正極性書込とし、第２領域に属する走査線が選択されるときに負極性書込とするとともに、第２フィールドにおいて第１領域に属する走査線が選択されるときに負極性書込とし、第２領域に属する走査線が選択されるときに正極性書込としたが、反対に、第１フィールドにおいて第１領域に属する走査線が選択されるときに負極性書込とし、第２領域に属する走査線が選択されるときに正極性書込とするとともに、第２フィールドにおいて第１領域に属する走査線が選択されるときに正極性書込とし、第２領域に属する走査線が選択されるときに負極性書込としても良い。
【００３７】
なお、上述した説明では、書込極性の基準をコモン電極１０８に印加される電圧ＬＣcomとしているが、これは、画素１１０におけるＴＦＴ１１６が理想的なスイッチとして機
能する場合であり、実際には、ＴＦＴ１１６のゲート・ドレイン間の寄生容量に起因して、オンからオフに状態変化するときにドレイン（画素電極１１８）の電位が低下する現象（プッシュダウン、突き抜け、フィールドスルーなどと呼ばれる）が発生する。液晶の劣化を防止するため、液晶容量１２０については交流駆動としなければならないが、コモン電極１０８への印加電圧ＬＣcomを書込極性の基準として交流駆動すると、プッシュダウ
ンのために、負極性書込による液晶容量１２０の電圧実効値が、正極性書込による実効値よりも若干大きくなってしまう（ＴＦＴ１１６がｎチャネルの場合）。このため、実際には、書込極性の基準電圧とコモン電極１０８の電圧ＬＣcomとを別々となるように設定す
る、詳細には、書込極性の基準電圧を、プッシュダウンの影響が相殺されるように、電圧ＬＣcomよりも高位側にオフセットして設定するようにしても良い。
【００３８】
上述した実施形態では、ある１行の走査線１１２に対応する走査信号がＨレベルとなったときに、当該走査線に位置する１列〜４８０列の画素に対応するデータ信号Ｖidを順番に供給する、いわゆる点順次の構成としたが、データ信号を時間軸にｎ（ｎは２以上の整数）倍に伸長するとともに、ｎ本の画像信号線に供給する、いわゆる相展開（シリアル−パラレル変換ともいう）駆動を併用した構成としても良いし（特開平２０００−１１２４３７号公報参照）、すべてのデータ線１１４に対しデータ信号を一括して供給する、いわゆる線順次の構成としても良い。
また、実施形態では、第１フィールドにおいて２４１行目以降を負極性書込とし、１行目以降を正極性書込とし、第２フィールドにおいて１行目以降を負極性書込とし、２４１行目以降を正極性書込としたが、書き込み極性を反対としても良い。
さらに、実施形態では、電圧無印加状態において白色を表示するノーマリーホワイトモ
ードとしたが、電圧無印加状態において黒色を表示するノーマリーブラックモードとしても良い。また、Ｒ（赤）、Ｇ（緑）、Ｂ（青）の３画素で１ドットを構成して、カラー表示を行うとしても良い。表示領域１００は透過型に限られず、反射型や、両者の中間的な半透過半反射型であっても良い。
【００３９】
次に、上述した実施形態に係る電気光学装置を用いた電子機器の例について説明する。図１２は、上述した電気光学装置１をライトバルブとして用いた３板式プロジェクタの構成を示す平面図である。
このプロジェクタ２１００において、ライトバルブに入射させるための光は、内部に配置された３枚のミラー２１０６および２枚のダイクロイックミラー２１０８によってＲ（赤）、Ｇ（緑）、Ｂ（青）の３原色に分離されて、各原色に対応するライトバルブ１００Ｒ、１００Ｇおよび１００Ｂにそれぞれ導かれる。なお、Ｂ色の光は、他のＲ色やＧ色と比較すると、光路が長いので、その損失を防ぐために、入射レンズ２１２２、リレーレンズ２１２３および出射レンズ２１２４からなるリレーレンズ系２１２１を介して導かれる。
【００４０】
ここで、ライトバルブ１００Ｒ、１００Ｇおよび１００Ｂの構成は、上述した実施形態における電気光学装置１の表示領域１００と同様であり、外部上位装置（図示省略）から供給されるＲ、Ｇ、Ｂの各色に対応する画像データでそれぞれ駆動されるものである。
ライトバルブ１００Ｒ、１００Ｇ、１００Ｂによってそれぞれ変調された光は、ダイクロイックプリズム２１１２に３方向から入射する。そして、このダイクロイックプリズム２１１２において、Ｒ色およびＢ色の光は９０度に屈折する一方、Ｇ色の光は直進する。したがって、各色の画像が合成された後、レンズユニット１８２０によって正転拡大投影されるので、スクリーン２１２０には、カラー画像が表示されることとなる。
【００４１】
なお、ライトバルブ１００Ｒ、１００Ｂの透過像は、ダイクロイックプリズム２１１２により反射した後に投射されるのに対し、ライトバルブ１００Ｇの透過像はそのまま投射されるので、ライトバルブ１００Ｒ、１００Ｂによる水平走査方向は、ライトバルブ１００Ｇによる水平走査方向と逆向きにして、左右反転像を表示させる構成となっている。
【００４２】
また、電子機器としては、図１２を参照して説明した他にも、直視型、例えば携帯電話や、パーソナルコンピュータ、テレビジョン、ビデオカメラのモニタ、カーナビゲーション装置、ページャ、電子手帳、電卓、ワードプロセッサ、ワークステーション、テレビ電話、ＰＯＳ端末、ディジタルスチルカメラ、タッチパネルを備えた機器等などが挙げられる。そして、これらの各種の電子機器に対して、本発明に係る電気光学装置が適用可能なのは言うまでもない。
【図面の簡単な説明】
【００４３】
【図１】本発明の実施形態に係る電気光学装置の構成を示すブロック図である。
【図２】同電気光学装置における表示パネルの構成を示す図である。
【図３】同表示パネルにおける画素の構成を示す図である。
【図４】同電気光学装置における表示データ処理回路の構成を示す図である。
【図５】同電気光学装置における垂直走査を示す図である。
【図６】同電気光学装置における水平走査を示す図である。
【図７】同電気光学装置における水平走査を示す図である。
【図８】同電気光学装置における表示データ処理回路の動作を示す図である。
【図９】同電気光学装置における表示データ処理回路の動作を示す図である。
【図１０】同電気光学装置における書込動作を示す図である。
【図１１】表示動作の比較を示す図である。
【図１２】実施形態に係る電気光学装置を用いたプロジェクタの構成を示す図である。
【符号の説明】
【００４４】
１…電気光学装置、１０…表示パネル、５０…処理回路、５２…走査制御回路、５４…表示データ処理回路、１０５…液晶、１０８…コモン電極、１１０…画素、１１２…走査線、１１４…データ線、１１６…ＴＦＴ、１１８…画素電極、１２０…液晶容量、１３０…走査線駆動回路、１４０…データ線駆動回路、１４２…サンプリング信号供給回路、１４６…ＴＦＴ、５１１…第１メモリ、５１２…第２メモリ、５２２…中間画像生成回路、２１００…プロジェクタ
【図１】
2008014994.tif 000003
【図２】
2008014994.tif 000004
【図３】
2008014994.tif 000005
【図４】
2008014994.tif 000006
【図５】
2008014994.tif 000007
【図６】
2008014994.tif 000008
【図７】
2008014994.tif 000009
【図８】
2008014994.tif 000010
【図９】
2008014994.tif 000011
【図１０】
2008014994.tif 000012
【図１１】
2008014994.tif 000013
【図１２】
2008014994.tif 000014